【手続補正書】
【提出日】平成24年10月3日(2012.10.3)
【手続補正１】
【補正対象書類名】明細書
【補正対象項目名】００２６
【補正方法】変更
【補正の内容】
【００２６】
【図１】眼鏡の一例を示す斜視図。
【図２】図２（ａ）は累進屈折力レンズの一方のレンズを模式的に示す平面図、図２（ｂ）はその断面図。
【図３】図３（ａ）は眼鏡用レンズの等価球面度数分布を示す図、図３（ｂ）は眼鏡用レンズの非点収差分布を示す図、図３（ｃ）は正方格子を見たときの歪曲の状態を示す図。
【図４】前庭動眼反射を示す図。
【図５】前庭動眼反射の最大角度を示す図。
【図６】矩形模様を設定する様子を示す図。
【図７】矩形模様の幾何学的なずれを重ね合わせて示す図。
【図８】矩形模様の格子線の傾きの変化を示す図。
【図９】矩形模様の格子線の水平方向の格子線の変化量を示す図。
【図１０】矩形模様の格子線の垂直方向の格子線の変化量を示す図。
【図１１】図１１（ａ）は実施例１の累進屈折力レンズの外面の主注視線上の面屈折力を示す図、図１１（ｂ）は実施例１の累進屈折力レンズの内面の主注視線上の面屈折力を示す図。
【図１２】図１２（ａ）は実施例２の累進屈折力レンズの外面の主注視線上の面屈折力を示す図、図１２（ｂ）は実施例２の累進屈折力レンズの内面の主注視線上の面屈折力を示す図。
【図１３】図１３（ａ）は比較例１の累進屈折力レンズの外面の主注視線上の面屈折力を示す図、図１３（ｂ）は比較例１の累進屈折力レンズの内面の主注視線上の面屈折力を示す図。
【図１４】図１４（ａ）は実施例１の累進屈折力レンズの外面の面非点収差分布を示す図、図１４（ｂ）は実施例２の累進屈折力レンズの外面の面非点収差分布を示す図、図１４（ｃ）は比較例１の累進屈折力レンズの外面の面非点収差分布を示す図。
【図１５】図１５（ａ）は実施例１の累進屈折力レンズの外面の等価球面面屈折力分布を示す図、図１５（ｂ）は実施例２の累進屈折力レンズの外面の等価球面面屈折力分布を示す図、図１５（ｃ）は比較例１の累進屈折力レンズの外面の等価球面面屈折力分布を示す図。
【図１６】図１６（ａ）は実施例１の累進屈折力レンズの内面の面非点収差分布を示す図、図１６（ｂ）は実施例２の累進屈折力レンズの内面の面非点収差分布を示す図、図１６（ｃ）は比較例１の累進屈折力レンズの内面の面非点収差分布を示す図。
【図１７】図１７（ａ）は実施例１の累進屈折力レンズの内面の等価球面面屈折力分布を示す図、図１７（ｂ）は実施例２の累進屈折力レンズの内面の等価球面面屈折力分布を示す図、図１７（ｃ）は比較例１の累進屈折力レンズの内面の等価球面面屈折力分布を示す図。
【図１８】図１８（ａ）は実施例１の累進屈折力レンズの非点収差分布を示 す図、  図１８（ｂ）は実施例２の累進屈折力レンズの非点収差分布を示す図、図１８（ｃ）は比較例１の累進屈折力レンズの非点収差分布を示す図。
【図１９】図１９（ａ）は実施例１の累進屈折力レンズの等価球面度数分布を示す図、図１９（ｂ）は実施例２の累進屈折力レンズの等価球面度数分布を示す図、図１９（ｃ）は比較例１の累進屈折力レンズの等価球面度数分布を示す図。
【図２０】実施例１の累進屈折力レンズの振動（ゆれ指標ＩＤｄ）を示す図。
【図２１】実施例１の累進屈折力レンズの変形量（ゆれ指標ＩＤｓ）を示す図。
【図２２】実施例２の累進屈折力レンズの振動（ゆれ指標ＩＤｄ）を示す図。
【図２３】実施例２の累進屈折力レンズの変形量（ゆれ指標ＩＤｓ）を示す図。
【手続補正２】
【補正対象書類名】明細書
【補正対象項目名】００３１
【補正方法】変更
【補正の内容】
【００３１】
累進屈折力レンズ１０の光学性能のうち視野の広さについては、非点収差分布図や等価球面度数分布図により知ることができる。累進屈折力レンズ１０の性能の１つは、累進屈折力レンズ１０を着用して頭を動かしたときに感じるゆれ（ユレ、揺れ）も重要であり、非点収差分布や等価球面度数分布がほとんど同じであっても、ゆれに関して差が発生することがある。以下においては、まず、ゆれの評価方法について説明し、その評価方法を用いて、本願の実施形態と、従来例とを比較した結果を示す。
【手続補正３】
【補正対象書類名】明細書
【補正対象項目名】００３２
【補正方法】変更
【補正の内容】
【００３２】
１．  ゆれの評価方法
図３（ａ）に、典型的な累進屈折力レンズ１０の等価球面度数分布（単位はディオプター（Ｄ））を示し、図３（ｂ）に、非点収差分布（単位はディオプター（Ｄ））を示し、図３（ｃ）に、このレンズ１０により正方格子を見たときの歪曲の状態を示している。累進屈折力レンズ１０においては、主注視線１４に沿って所定の度数が加入される。したがって、度数の加入により、中間領域（中間部、累進領域）１３の側方には大きな非点収差が発生し、そこの部分では物がぼやけて見えてしまう。等価球面度数分布は近用部１２では所定の量だけ度数がアップし、中間部１３、遠用部１１へと順次度数が減少する。この累進屈折力レンズ１０においては、遠用部１１の度数（遠用度数、Ｓｐｈ）は３．００Ｄ（ディオプトリー）であり、加入度数（ＡＤＤ）は２．００Ｄである。
【手続補正４】
【補正対象書類名】明細書
【補正対象項目名】００９３
【補正方法】変更
【補正の内容】
【００９３】
図１５（ａ）に実施例１の累進屈折力レンズ１０ａの外面１９Ａの等価球面面屈折力分布を示し、図１５（ｂ）に実施例２の累進屈折力レンズ１０ｂの外面１９Ａの等価球面面屈折力分布を示し、図１５（ｃ）に比較例１の累進屈折力レンズ１０ｃの外面１９Ａの等価球面面屈折力分布を示している。等価球面面屈折力ＥＳＰは以下の式（１８）で得られる。ＥＳＰ＝（ＯＨＰ＋ＯＶＰ）／２・・・（１８）
【手続補正５】
【補正対象書類名】明細書
【補正対象項目名】００９４
【補正方法】変更
【補正の内容】
【００９４】
これらの図に示すように、実施例１の累進屈折力レンズ１０ａの外面１９Ａの等価球面面屈折力分布は、比較例１の累進屈折力レンズ１０ｃの外面１９Ａの等価球面面屈折力に、ほぼ０．７５（Ｄ）の等価球面屈折力が全体に合成されている。実施例２の累進屈折力レンズ１０ｂの外面１９Ａの等価球面面屈折力分布は、比較例１の累進屈折力レンズ１０ｃの外面１９Ａの等価球面面屈折力に、ほぼ１．５（Ｄ）の等価球面屈折力が全体に合成されている。
【手続補正６】
【補正対象書類名】明細書
【補正対象項目名】００９７
【補正方法】変更
【補正の内容】
【００９７】
図１７（ａ）に実施例１の累進屈折力レンズ１０ａの内面１９Ｂの等価球面面屈折力分布を示し、図１７（ｂ）に実施例２の累進屈折力レンズ１０ｂの内面１９Ｂの等価球面面屈折力分布を示し、図１７（ｃ）に比較例１の累進屈折力レンズ１０ｃの内面１９Ｂの等価球面面屈折力分布を示している。
【手続補正７】
【補正対象書類名】明細書
【補正対象項目名】００９８
【補正方法】変更
【補正の内容】
【００９８】
これらの図に示すように、実施例１の累進屈折力レンズ１０ａの内面１９Ｂの等価球面面屈折力分布は、比較例１の累進屈折力レンズ１０ｃの内面１９Ｂの等価球面面屈折力に、ほぼ０．７５（Ｄ）の等価球面屈折力が全体に合成されている。実施例２の累進屈折力レンズ１０ｂの内面１９Ｂの等価球面面屈折力分布は、比較例１の累進屈折力レンズ１０ｃの内面１９Ｂの等価球面面屈折力に、ほぼ１．５（Ｄ）の等価球面面屈折力が全体に合成されている。
【手続補正８】
【補正対象書類名】明細書
【補正対象項目名】０１００
【補正方法】変更
【補正の内容】
【０１００】
図１９（ａ）に実施例１の累進屈折力レンズ１０ａのレンズ上の各位置を透して観察したときの等価球面度数分布を示し、図１９（ｂ）に実施例２の累進屈折力レンズ１０ｂのレンズ上の各位置を透して観察したときの等価球面度数分布を示し、図１９（ｃ）に比較例１の累進屈折力レンズ１０ｃのレンズ上の各位置を透して観察したときの等価球面度数分布を示している。これらの図に示すように、実施例１の累進屈折力レンズ１０ａの等価球面度数分布および実施例２の累進屈折力レンズ１０ｂの等価球面度数分布は、比較例１の累進屈折力レンズ１０ｃの等価球面度数分布とほぼ同等である。
【手続補正９】
【補正対象書類名】明細書
【補正対象項目名】０１０１
【補正方法】変更
【補正の内容】
【０１０１】
したがって、実施例１の累進屈折力レンズ１０ａ、あるいは実施例２の累進屈折力レンズ１０ｂとして、非球面補正を効果的に使用することにより、非点収差分布および等価球面度数分布において比較例１の累進屈折力レンズ１０ｃとほとんど同じ性能の累進屈折力レンズが得られることがわかる。